(57)【特許請求の範囲】
【請求項１】
装置筐体表面の一部を構成しており、被写体の側面を接触させた状態で当該被写体が置かれることになる被写体載置部と、
上記被写体載置部の近傍の装置筐体に配設され、その被写体載置部上に上記被写体の側面が接触した状態で置かれた時に、光出射部分の一部が上記被写体により覆われた状態で当該被写体を照明する照明部と、
上記被写体載置部および照明部の配設位置から離れた自装置上の位置に配設され、上記被写体載置部上に接触させた状態で置かれた上記被写体を正面から撮影する撮像部と、
を有する撮像装置。
【請求項２】
上記照明部は、上記被写体載置部に上記被写体が接触した状態で置かれた時に、上記光出射部分のうち、上記撮像部の配設位置対して反対側の一部が上記被写体により覆われた状態で上記被写体を照明する請求項１記載の撮像装置。
【請求項３】
上記照明部の光出射部分は、上記装置筐体の表面から外方向へ光を出射し、
上記撮像部は、結像用光学系の光軸が上記照明部の配設位置の近傍上空へ向けられて設けられている請求項１記載の撮像装置。
【請求項４】
上記撮像部は、上記照明部が設けられている装置筐体表面上、若しくは、上記照明部が設けられている装置筐体表面と略々同一線上にある装置筐体表面上に設けられている請求項３記載の撮像装置。
【請求項５】
上記撮像部は、上記照明部が設けられている装置筐体表面に対して段差を有する装置筐体面上若しくは部材上に設けられている請求項３記載の撮像装置。
【請求項６】
上記照明部は、光出射部分の形状が、上記撮像部の結像用光学系の光軸方向に対して略々直交する方向が長辺となされた長方形となされている請求項１記載の撮像装置。
【請求項７】
装置筐体表面の一部を構成しており、生体部位の側面を接触させた状態で当該生体部位が置かれることになる被写体載置部と、
上記被写体載置部の近傍の装置筐体に配設され、その被写体載置部上に上記生体部位の側面が接触した状態で置かれた時に、光出射部分の一部が上記生体部位により覆われた状態で当該生体部位へ近赤外光を照射する照明部と、
上記被写体載置部および照明部の配設位置から離れた自装置上の位置に配設され、上記被写体載置部上に接触させた状態で置かれた上記生体部位から到来する近赤外光を撮影する撮像部と、
上記撮像部により撮像した生体部位の近赤外光像から抽出した特定パターンと、予め登録された特定パターンとを照合して生体認証を行う認証部と、
を有する生体認証装置。
【請求項８】
上記照明部の光出射部分は、上記装置筐体の表面から外方向へ上記近赤外光を出射し、
上記撮像部は、結像用光学系の光軸が上記照明部の配設位置の近傍上空へ向けられて設けられている請求項７記載の生体認証装置。
【請求項９】
上記撮像部は、上記照明部が設けられている装置筐体表面上、若しくは、上記照明部が設けられている装置筐体表面と略々同一線上にある装置筐体表面上に設けられている請求項８記載の生体認証装置。
【請求項１０】
上記撮像部は、上記照明部が設けられている装置筐体表面に対して段差を有する装置筐体面上若しくは部材上に設けられている請求項８記載の生体認証装置。
【請求項１１】
上記照明部は、光出射部分の形状が、上記撮像部の結像用光学系の光軸方向に対して略々直交する方向が長辺となされた長方形となされている請求項７記載の生体認証装置。
【発明の詳細な説明】
【技術分野】
【０００１】
本発明は、例えば静脈認証，指紋認証等のような生体認証のための近接撮影や、例えばＯＣＲ（Optical Character Recognition），ＱＲ（Quick Response）コードの読み取りのための近接撮影を行う場合などに好適な撮像装置と、その撮像装置により撮像された静脈等の生体パターンに基づいて特定ユーザの認証を行うための生体認証装置に関する。
【背景技術】
【０００２】
図３２には、従来の撮像機能付き携帯端末（例えばカメラ付き携帯電話端末）の筐体に配置されている撮像用カメラと照明用ライトの概略的なレイアウトの一例を示す。なお、図３２は、各構成要素の配置を分かり易く見せるために、携帯電話端末を側面側から一部透視して観た状態を示している。後述する図３３も同様である。
【０００３】
この図３２に示す携帯電話端末は、第１筐体１１０ａと第２筐体１１０ｂが図示しない回転ヒンジ部材を介して折り畳み可能となされたカメラ付き携帯電話端末である。第１筐体１１０ａには液晶等のディスプレイ部１０２が設けられており、第２筐体１１０ｂにはテンキー等のキーボード部１０３と電池部１０４が設けられている。また、第１筐体１１０ａの筐体表面のうち、上記ディスプレイ部１０２が設置されている筐体表面（以下、第１主面と表記する。）と相対応した他方の筐体表面（以下、第２主面と表記する。）には、カメラ部１０５とライト部１０６が設けられている。なお、カメラ部１０５は撮像デバイスと結像用光学系により構成され、ライト部１０６は例えばＬＥＤ（発光ダイオード）と照明光用光学系により構成されている。
【０００４】
また、この図３２に示した従来の携帯電話端末では、上記カメラ部１０５の結像用光学系と、上記ライト部１０６の照明光用光学系は、それぞれの光軸が共に上記第１筐体１１０ａの第２主面に対して略々垂直となるように配設されている。したがって、上記カメラ部１０５にて撮像を行う場合、被写体１０９は、上記結像用光学系にて合焦可能な距離を隔てて置かれ、且つ、上記第１筐体１１０ａの第１主面に対して略々並行になるように置かれることが望ましい。
【０００５】
さらに、このような撮影時における被写体１０９の配置は、通常の撮影時のみならず、近接撮影を行う場合にも同様となされる。なお、ライト部１０６にて被写体１０９を照明しつつカメラ部１０５にて撮像を行う場合も同様である。
【０００６】
図３３には、従来の撮像機能付き携帯端末（カメラ付き携帯電話端末）の筐体に配置されている撮像用カメラと照明用ライトの概略的なレイアウトの他の一例を示す。なお、この図３３において、図３２の携帯電話端末と同じ機能を備えた各構成要素には、図３２と同じ指示符号を付け、それらの説明については省略する。
【０００７】
この図３３に示した携帯電話端末の場合、カメラ部１０５とライト部１０６は、第２筐体１１０ｂの筐体表面のうち、キーボード部１０３が設けられている筐体表面（第１主面）と相対応した他方の筐体表面（第２主面）側に設けられている。
【０００８】
また、この図３３の例の携帯電話端末の場合、上記カメラ部１０５の結像用光学系とライト部１０６の照明光用光学系は、それぞれの光軸が共に上記第２筐体１１０ｂの第２主面に対して略々垂直となるように配設されている。したがって、この図３３の携帯電話端末において、上記カメラ部１０５にて撮像を行う場合、上記図３２の携帯電話端末と同様に、被写体１０９は、上記結像用光学系にて合焦可能な距離を隔てて置かれ、第２筐体１１０ｂの第２主面に対して略々並行になるように置かれることが望ましい。
【０００９】
さらに、このような撮影時の被写体１０９の配置は、通常の撮影時のみならず、近接撮影を行う場合にも同様となされる。ライト部１０６にて被写体１０９を照明しつつカメラ部１０５にて撮像を行う場合も同様である。
【００１０】
なお、カメラ付き携帯電話端末による近接撮影の適用例として、特開２００５−１５２５８７号の公開特許公報（特許文献１）には、近赤外光で発光する近赤外光光源と、近赤外光を透過するフィルタを備えたＣＣＤカメラ部とを備え、上記近赤外光光源からの近赤外光を生体へ照射し、その生体の内方を経由して得られる固有組織のパターン光（例えば血管パターン光）をＣＣＤカメラ部により撮像し、当該固有組織のパターン光の画像信号から得られる血管形成パターンを、予め登録済みの公正使用者の血管形成パターンと照合することにより、その端末使用者が公正使用者か否かの認証（いわゆる生体認証）を行うようになされた携帯電話端末が開示されている。
【００１１】
【特許文献１】特開２００５−１５２５８７号公報（図１，図３，図７参照）
【発明の開示】
【発明が解決しようとする課題】
【００１２】
ところで、上述した従来の撮影機能付き携帯端末において、例えば生体認証やＯＣＲなどのために近接撮影を行う場合には、以下に述べるような点を考慮する必要がある。
【００１３】
一般に、カメラのレンズ系における被写界深度は、レンズを介した撮像面から被写体までの距離が近くなるほど浅くなるという特性がある。したがって、特に上述のような近接撮影を行う場合、被写体が被写界深度内から外れて撮影画像がボケてしまうのを防ぐために、合焦後にレンズから被写体までの距離を一定に保つようにする必要がある。なお、被写界深度は、光学系のｆ値を大きくすれば深くなるが、ｆ値を大きくすると撮像素子への入射光量が減ってしまうため、被写界深度を深くするのにも或る程度限界がある。
【００１４】
また一般に、カメラの撮像素子には、設計上、入射光量の適正範囲が決められており、入射光量が適正範囲を越えたり逆に下回った場合には、良好な撮影画像が得られなくなるという特性がある。一方、例えば光源の発光光量を或る値に決めた後に、その光源からの出射光により被写体を照明するような場合、当該被写体上の照度は、光源から被写体までの距離により変化することになる。したがって、光源の発光光量を或る値に決めた後、その光源からの出射光で被写体を照明しながら撮影を行うような場合には、なるべく光源から被写体までの距離を変化させないようにして、被写体上での照度変化（つまり撮像素子への入射光量変化）を少なくする必要がある。
【００１５】
その他にも、撮影時には、いわゆる手ブレや被写体ブレをなるべく少なくすることが望ましいことは言うまでもない。
【００１６】
しかしながら、上述した従来の撮影機能付き携帯端末においては、前述の図３２や図３３に示したように、カメラ部１０５及びライト部１０６と被写体１０９との間が空間のみで満たされているため、カメラ部１０５及びライト部１０６から被写体１０９までの距離を一定に保つことが困難であると同時に、手ブレや被写体ブレを無くすことも難しい。
【００１７】
特に、生体認証のために近接撮影を行った際に、上述のような距離変化や手ブレ，被写体ブレが発生して鮮明が撮影画像が得られなかった場合には、認証精度が低下してしまい、正しい生体認証が行えなくなってしまう。
【００１８】
また、生体認証では、予め登録した特定の生体部分の撮影情報（例えば指等の静脈の撮影情報）と、後の認証時に撮影した生体部分の撮影情報とが比較されることになるため、当該認証時には、登録時の生体部分と同じ部位を正確に位置合わせして撮影を行わなければならないが、生体部分の正確な位置合わせ（つまり位置再現）には熟練が必要であり、例えば初めて認証操作を行う人や希にしか認証操作を行わない人、或いは、設計時に想定されている生体部分の大きさよりもその当人の生体部分の大きさや形状が著しく異なっているような人の場合には、生体認証時の位置再現が難しく、また操作性も悪くなり、その結果、認証精度が低いものとなってしまうという問題もある。
【００１９】
本発明は、このような実情に鑑みて提案されたものであり、カメラ部やライト部から被写体までの距離変化、手ブレ，被写体ブレ等を無くして近接撮影を行え、また、生体認証を行う場合には、撮影を行う特定生体部分の正確な位置再現が可能な撮像装置と、その撮像装置により撮像された特定生体部分の撮影情報に基づいて特定ユーザの認証を正確且つ容易に行うことが可能な生体認証装置を提供することを目的とする。
【課題を解決するための手段】
【００２０】
本発明の撮像装置は、装置筐体表面の一部を構成しており被写体の側面を接触させた状態で当該被写体が置かれることになる被写体載置部と、被写体載置部の近傍の装置筐体に配設されてその被写体載置部上に被写体の側面が接触した状態で置かれた時に光出射部分の一部が被写体により覆われた状態で当該被写体を照明する照明部と、被写体載置部および照明部の配設位置から離れた自装置上の位置に配設され、被写体載置部上に接触させた状態で置かれた被写体を正面から撮影する撮像部とを有することにより、上述した課題を解決する。
【００２１】
また、本発明の生体認証装置は、装置筐体表面の一部を構成しており生体部位の側面を接触させた状態で当該生体部位が置かれることになる被写体載置部と、被写体載置部の近傍の装置筐体に配設されてその被写体載置部上に生体部位の側面が接触した状態で置かれた時に光出射部分の一部が生体部位により覆われた状態で当該生体部位へ近赤外光を照射する照明部と、被写体載置部および照明部の配設位置から離れた自装置上の位置に配設され、被写体載置部上に接触させた状態で置かれた生体部位から到来する近赤外光を撮影する撮像部と、撮像部により撮像した生体部位の近赤外光像から抽出した特定パターンと予め登録された特定パターンとを照合して生体認証を行う認証部とを有することにより、上述した課題を解決する。
【００２２】
すなわち、本発明によれば、被写体の撮影時に、被写体は筐体表面に接触した状態となされるため、撮像部や照明部から被写体までの距離変化、手ブレ，被写体ブレ等は無くなる。また、本発明によれば、撮影部は照明部の配設位置から離れた場所に配設され、撮影時には、照明部の光出射部分の一部が被写体により覆われた状態となされるため、照明光が直接撮像部に入射したり、被写体表面で反射した照明光が撮像部へ入射することは殆どない。
【発明の効果】
【００２３】
本発明においては、被写体の撮影時には、被写体載置部に被写体を接触させた状態としその状態で照明部の光出射部分の一部が被写体により覆われるようにして撮影を行うことにより、撮像部や照明部から被写体までの距離変化、手ブレ，被写体ブレ等を無くして近接撮影を行え、また、生体認証を行う場合には、撮影を行う特定生体部分の正確な位置再現が可能となり、その結果、特定ユーザの認証を正確且つ容易に行うことが可能となる。
【発明を実施するための最良の形態】
【００２４】
以下、図面を参照しながら、本発明の撮像装置、生体認証装置の一実施形態について説明する。
【００２５】
なお、本実施形態では、本発明の撮像装置、生体認証装置の一例として、カメラ機能付き携帯電話端末を挙げているが、勿論それはあくまで一例であり、本発明はこの例に限定されないことは言うまでもない。
【００２６】
〔第１の具体例のレイアウト構成〕
図１には、本実施形態のカメラ機能付き携帯電話端末１の筐体上に配される撮像装置であるカメラ部５と照明装置であるライト部６のレイアウトの第１の具体例を示す。なお、図１は、各構成要素の配置を分かり易く見せるために、携帯電話端末１を側面側から一部透視して観た状態を示している。後述する図２〜図１４、図１６、図１７、図１９〜図２４、図２６、図２７、図２９、図３０も同様である。
【００２７】
この図１に示す携帯電話端末１は、いわゆるストレートタイプの端末であり、主要な構成要素として、液晶等のディスプレイ部２、キーボード部３、電池部４等を備えている。なお、当該携帯電話端末１の筐体表面のうち、上記ディスプレイ部２及びキーボード部３が設置されている側の筐体表面を、以下、第１主面と表記し、電池部４が設けられている筐体表面側の筐体表面を、以下、第２主面と表記する。また、この図１に示す携帯電話端末１において、上記第２主面側には、撮像デバイスと結像用光学系により構成されたカメラ部５と、例えばＬＥＤ（発光ダイオード）と照明光用光学系により構成されたライト部６とが設けられている。
【００２８】
ここで、図１に示す第１の具体例のレイアウトにおいて、上記ライト部６は、当該携帯電話端末１の第２主面側の上記電池部４が配されている一方の端部と相対応した他方の端部側に設けられていると共に、当該ライト部６の照明光用光学系の光軸が当該携帯電話端末１の第２主面に対して略々垂直となるように配設されている。特に、本実施形態の携帯電話端末１が静脈認証機能を備えている場合、当該ライト部６は、近赤外線を出射可能な光源を備えたものとなされる。
【００２９】
また、上記カメラ部５は、携帯電話端末１の第２主面側の例えば上記ライト部６と電池部４の間に設けられていると共に、当該カメラ部５の結像用光学系の光軸が上記ライト部６の配設位置の近傍上空へ向くように配設されている。特に、本実施形態の携帯電話端末１が静脈認証機能を備えている場合、当該カメラ部５は、近赤外線を透過するフィルタを備えたものとなされる。なお、図１の例では、カメラ部５が第２主面から一部突出しているが、例えばカメラ部５をいわゆるリトラクタブル式にし、撮影を行わない時にカメラ部５を筐体内に収納させるようにしても良い。
【００３０】
そして、この図１に示した第１の具体例のレイアウト構成となされた携帯電話端末１において、例えば静脈認証，指紋認証等のような生体認証のための近接撮影や、例えばＯＣＲ，ＱＲコードの読み取りのための近接撮影を行う場合、撮影対象となる被写体９は、当該携帯電話端末１の第２主面の一部を構成する所定位置の被写体載置部に接触した状態で置かれると共に、上記ライト部６の照明光出射部分の一部を覆うようにして配置される。
【００３１】
すなわち、第１の具体例のレイアウト構成によれば、近接撮影が行われる場合に、上記ライト部６から出射された光が直に上記カメラ部５へ入射することはない。
【００３２】
また、第１の具体例のレイアウト構成によれば、近接撮影が行われる場合に、前述の図３２や図３３で示した例のように略々同じ方向へ光軸が向けられたライト部とカメラ部の略々正面に、空間を隔てて被写体が置かれるようなことがないため、図３２や図３３の例のようにライト部から出射した光が被写体でそのまま反射されてカメラ部へ入射してしまうようなことはない。
【００３３】
さらに、第１の具体例のレイアウト構成によれば、近接撮影が行われる場合、携帯電話端末１の第１主面に接触した状態で被写体９が配置されるため、カメラ部５やライト部６から被写体９までの距離が変化したり、カメラ部５と被写体９との間の相対的な位置ブレが発生するようなことはない。
【００３４】
したがって、第１の具体例のレイアウト構成によれば、例えば静脈認証，指紋認証等のような生体認証のための近接撮影や、例えばＯＣＲ，ＱＲコードの読み取りのための近接撮影を行う際に、ブレやボケのない良好な撮影画像を得ることができ、また特に、生体認証用の画像を撮影する際に、撮影すべき特定生体部分の正確な位置再現が可能となり、高い認証精度を維持した正確な生体認証が可能となる。
【００３５】
〔第２の具体例のレイアウト構成〕
図２には、本実施形態のカメラ機能付き携帯電話端末１の筐体上に配されるカメラ部５及びライト部６のレイアウトの第２の具体例を示す。なお、この図２において、図１の携帯電話端末と同じ機能を備えた各構成要素には、図１と同じ指示符号を付け、それらの説明については省略する。後述する図３〜図１４、図１６、図１７、図１９〜図２４、図２６、図２７、図２９、図３０も同様とする。
【００３６】
この図２に示す第２の具体例のレイアウトにおいて、ライト部６は、当該携帯電話端末１の第２主面側の電池部４が配されていない部分の例えば中央部近傍に設けられていると共に、当該ライト部６の照明光用光学系の光軸が当該携帯電話端末１の第２主面に対して略々垂直となるように配設されている。
【００３７】
また、カメラ部５は、携帯電話端末１の第２主面側の例えば電池部４のライト部側端部近傍に設けられていると共に、当該カメラ部５の結像用光学系の光軸が上記ライト部６の配設位置の近傍上空へ向くように配設されている。
【００３８】
そして、この図２に示した第２の具体例のレイアウト構成となされた携帯電話端末１において、第１の具体例同様に近接撮影を行う場合、撮影対象となる被写体９は、当該携帯電話端末１の第２主面の一部を構成する被写体載置部に接触した状態になされると共に、上記ライト部６の照明光出射部分の一部を覆うようにして配置される。
【００３９】
この第２の具体例のレイアウト構成によれば、前述の第１の具体例の場合と同様に、近接撮影が行われる場合には、上記ライト部６から出射された光が直に上記カメラ部５へ入射することはなく、また、前述の図３２や図３３の例のようにライト部から出射した光が被写体でそのまま反射されてカメラ部へ入射してしまうようなことはなく、さらに、カメラ部５やライト部６から被写体９までの距離が変化したり、カメラ部５と被写体９との間の相対的な位置ブレが発生するようなことはない。
【００４０】
したがって、当該第２の具体例のレイアウト構成によれば、前述の第１の具体例の場合と同様に、近接撮影を行う際に、ブレやボケのない良好な撮影画像を得ることができ、また特に、生体認証用の画像を撮影する際には、撮影すべき特定生体部分の正確な位置再現が可能となり、高い認証精度を維持した正確な生体認証が可能となる。
【００４１】
〔第３の具体例のレイアウト構成〕
図３には、本実施形態のカメラ機能付き携帯電話端末１の筐体上に配されるカメラ部５及びライト部６のレイアウトの第３の具体例を示す。
【００４２】
この図３に示す第３の具体例のレイアウトにおいて、ライト部６は、当該携帯電話端末１の第１主面側のディスプレイ部２の近傍の端末端部に設けられていると共に、照明光用光学系の光軸が当該携帯電話端末１の第１主面に対して略々垂直となるように配設されている。
【００４３】
また、カメラ部５は、携帯電話端末１の第１主面側の例えばディスプレイ部２とキーボード部３との間に設けられていると共に、結像用光学系の光軸が上記ライト部６の配設位置の近傍上空へ向くように配設されている。
【００４４】
そして、この図３に示した第３の具体例のレイアウト構成となされた携帯電話端末１において、第１，第２の具体例同様に近接撮影を行う場合、撮影対象となる被写体９は、当該携帯電話端末１の第１主面の一部を構成する被写体載置部に接触した状態になされると共に、上記ライト部６の照明光出射部分の一部を覆うようにして配置される。
【００４５】
この第３の具体例のレイアウト構成において、近接撮影が行われる場合には、前述の第１，第２の具体例の場合と同様の効果を得ることができる。
【００４６】
〔第４の具体例のレイアウト構成〕
図４には、本実施形態のカメラ機能付き携帯電話端末１の筐体上に配されるカメラ部５及びライト部６のレイアウトの第４の具体例を示す。
【００４７】
この図４に示す第４の具体例のレイアウトにおいて、ライト部６は、当該携帯電話端末１の第１主面側のキーボード部３のエリア内に設けられていると共に、照明光用光学系の光軸が当該携帯電話端末１の第１主面に対して略々垂直となるように配設されている。
【００４８】
また、カメラ部５は、携帯電話端末１の第１主面側の例えばキーボード部３の近傍の端末端部に設けられていると共に、結像用光学系の光軸が上記ライト部６の配設位置の近傍上空へ向くように配設されている。
【００４９】
そして、この図４に示した第４の具体例のレイアウト構成となされた携帯電話端末１において、前述の各具体例同様に近接撮影を行う場合、撮影対象となる被写体９は、当該携帯電話端末１の第１主面に接触した状態になされると共に、上記ライト部６の照明光出射部分の一部を覆うようにして配置される。
【００５０】
この第４の具体例のレイアウト構成において、近接撮影が行われる場合には、前述の各具体例の場合と同様の効果を得ることができる。
【００５１】
〔第５の具体例のレイアウト構成〕
図５には、本実施形態のカメラ機能付き携帯電話端末１の筐体上に配されるカメラ部５及びライト部６のレイアウトの第５の具体例を示す。
【００５２】
この図５に示す携帯電話端末１は、第１筐体１０ａと第２筐体１０ｂが回転ヒンジ部材８を介して折り畳み可能となされたカメラ付き携帯電話端末である。第１筐体１０ａにはディスプレイ部２、カメラ部５及びライト部６が設けられており、第２筐体１０ｂにはキーボード部３と電池部４が設けられている。なお、以下の説明において、第１筐体１０ａの筐体表面のうち、ディスプレイ部２が設けられている側を第１主面と表記し、一方、当該第１主面に相対応する背面側を第２主面と表記する。同様に、第２筐体１０ａの筐体表面のうち、キーボード部３が設けられている側を第１主面と表記し、一方、電池部４が設けられている側を第２主面と表記する。
【００５３】
ここで、この図５に示す第５の具体例のレイアウトにおいて、カメラ部５及びライト部６は、第１筐体１０ａの第２主面側に設けられている。
【００５４】
上記ライト部６は、第１筐体１０ａの回転ヒンジ部材８が配されていない側の端部近傍に設けられていると共に、照明光用光学系の光軸が当該第１筐体１０ａの第２主面に対して略々垂直となるように配設されている。
【００５５】
カメラ部５は、第１筐体１０ａの第２主面の略々中央に設けられていると共に、結像用光学系の光軸が上記ライト部６の配設位置の近傍上空へ向くように配設されている。
【００５６】
そして、この図５に示した第５の具体例のレイアウト構成となされた携帯電話端末１において、前述の各具体例同様に近接撮影を行う場合、撮影対象となる被写体９は、当該携帯電話端末１の第２主面の一部を構成する被写体載置部に接触した状態になされると共に、上記ライト部６の照明光出射部分の一部を覆うようにして配置される。
【００５７】
この第５の具体例のレイアウト構成において、近接撮影が行われる場合には、前述の各具体例の場合と同様の効果を得ることができる。
【００５８】
〔第６の具体例のレイアウト構成〕
図６には、本実施形態のカメラ機能付き携帯電話端末１の筐体上に配されるカメラ部５及びライト部６のレイアウトの第６の具体例を示す。なお、この図６の携帯電話端末１は、図５の例と同様の折り畳みタイプの端末である。
【００５９】
ここで、この図６に示す第６の具体例のレイアウトにおいて、ライト部６は第１筐体１０ａの第２主面側に設けられ、カメラ部５は第２筐体１０ｂの第２主面側に設けられている。
【００６０】
ライト部６は、第１筐体１０ａの回転ヒンジ部材８が配されている端部近傍の第２主面側に設けられていると共に、照明光用光学系の光軸が当該第１筐体１０ａの第２主面に対して略々垂直となるように配設されている。
【００６１】
カメラ部５は、第２筐体１０ｂの回転ヒンジ部材８が配されている端部近傍の第２主面側に設けられていると共に、当該携帯電話端末１を開いた状態（図６の状態）にした時に、結像用光学系の光軸が上記ライト部６の配設位置の近傍上空へ向くように配設されている。
【００６２】
そして、この図６に示した第６の具体例のレイアウト構成となされた携帯電話端末１において、前述の各具体例同様に近接撮影を行う場合、撮影対象となる被写体９は、開いた状態の当該携帯電話端末１の第２主面の一部を構成する被写体載置部に接触した状態になされると共に、上記ライト部６の照明光出射部分の一部を覆うようにして配置される。
【００６３】
この第６の具体例のレイアウト構成において、近接撮影が行われる場合には、前述の各具体例の場合と同様の効果を得ることができる。
【００６４】
〔第７の具体例のレイアウト構成〕
図７には、図５，図６と同様の折り畳みタイプのカメラ機能付き携帯電話端末１の筐体上に配されるカメラ部５及びライト部６のレイアウトの第７の具体例を示す。
【００６５】
ここで、この図７に示す第７の具体例のレイアウトにおいて、ライト部６及びカメラ部５は第１筐体１０ａの第１主面側に設けられている。
【００６６】
ライト部６は、第１筐体１０ａの回転ヒンジ部材８が配されていない側の端部近傍の第１主面側に設けられていると共に、照明光用光学系の光軸が当該第１筐体１０ａの第１主面に対して略々垂直となるように配設されている。
【００６７】
カメラ部５は、第１筐体１０ａの回転ヒンジ部材８が配されている端部近傍の第１主面側に設けられていると共に、当該携帯電話端末１を開いた状態（図７の状態）にした時に、結像用光学系の光軸が上記ライト部６の配設位置の近傍上空へ向くように配設されている。
【００６８】
そして、この図７に示した第７の具体例のレイアウト構成となされた携帯電話端末１において、前述の各具体例同様に近接撮影を行う場合、撮影対象となる被写体９は、開いた状態の当該携帯電話端末１の第１筐体１０ａの第１主面の一部を構成する被写体載置部に接触した状態になされると共に、上記ライト部６の照明光出射部分の一部を覆うようにして配置される。
【００６９】
この第７の具体例のレイアウト構成において、近接撮影が行われる場合には、前述の各具体例の場合と同様の効果を得ることができる。
【００７０】
〔第８の具体例のレイアウト構成〕
図８には、前述同様の折り畳みタイプのカメラ機能付き携帯電話端末１の筐体上に配されるカメラ部５及びライト部６のレイアウトの第８の具体例を示す。
【００７１】
ここで、この図８に示す第８の具体例のレイアウトにおいて、ライト部６は第１筐体１０ａの第１主面側に設けられ、カメラ部５は第１筐体１０ａの第１主面側に設けられている。
【００７２】
ライト部６は、第１筐体１０ａの回転ヒンジ部材８が配されている端部近傍の第１主面側に設けられていると共に、照明光用光学系の光軸が当該第１筐体１０ａの第１主面に対して略々垂直となるように配設されている。
【００７３】
カメラ部５は、第２筐体１０ｂの回転ヒンジ部材８が配されている端部近傍の第１主面側に設けられていると共に、当該携帯電話端末１を開いた状態（図８の状態）にした時に、結像用光学系の光軸が上記ライト部６の配設位置の近傍上空へ向くように配設されている。
【００７４】
そして、この図８に示した第８の具体例のレイアウト構成となされた携帯電話端末１において、前述の各具体例同様に近接撮影を行う場合、撮影対象となる被写体９は、開かれた状態の当該携帯電話端末１の第１筐体１０ａの第１主面の一部を構成する被写体載置部に接触した状態になされると共に、上記ライト部６の照明光出射部分の一部を覆うようにして配置される。
【００７５】
この第８の具体例のレイアウト構成において、近接撮影が行われる場合には、前述の各具体例の場合と同様の効果を得ることができる。
【００７６】
〔第９の具体例のレイアウト構成〕
図９には、前述同様の折り畳みタイプのカメラ機能付き携帯電話端末１の筐体上に配されるカメラ部５及びライト部６のレイアウトの第９の具体例を示す。
【００７７】
ここで、この図９に示す第９の具体例のレイアウトにおいて、ライト部６及びカメラ部５は第２筐体１０ｂの第１主面側に設けられている。
【００７８】
ライト部６は、第２筐体１０ｂの第１主面上のキーボード部３のエリア内に設けられていると共に、照明光用光学系の光軸が第２筐体１０ｂの第１主面に対して略々垂直となるように配設されている。
【００７９】
カメラ部５は、第２筐体１０ｂの回転ヒンジ部材８が配されていない側の端部近傍の第１主面側に設けられていると共に、結像用光学系の光軸が上記ライト部６の配設位置の近傍上空へ向くように配設されている。
【００８０】
そして、この図９に示した第９の具体例のレイアウト構成となされた携帯電話端末１において、前述の各具体例同様に近接撮影を行う場合、撮影対象となる被写体９は、開いた状態の当該携帯電話端末１の第１主面の一部を構成する被写体載置に接触した状態になされると共に、上記ライト部６の照明光出射部分の一部を覆うようにして配置される。
【００８１】
この第９の具体例のレイアウト構成において、近接撮影が行われる場合には、前述の各具体例の場合と同様の効果を得ることができる。
【００８２】
〔第１０の具体例のレイアウト構成〕
図１０には、前述の図５〜図９の折り畳みタイプのように、開いた状態で第１，第２筐体１０ａ，１０ｂが略々一直線に並ぶ端末とは異なり、開いた状態のときに回転ヒンジ部材１１を介して第１，第２筐体１０ａ，１０ｂに段差ができるようなカメラ機能付き携帯電話端末１の筐体上に配されるカメラ部５及びライト部６のレイアウトの第１０の具体例を示す。
【００８３】
ここで、この図１０に示す第１０の具体例のレイアウトにおいて、ライト部６は第１筐体１０ａの第１主面側に設けられ、カメラ部５は回転ヒンジ部材１１内に設けられている。
【００８４】
ライト部６は、第１筐体１０ａの回転ヒンジ部材１１が配されていない側の端部近傍の第１主面側に設けられていると共に、照明光用光学系の光軸が当該第１筐体１０ａの第１主面に対して略々垂直となるように配設されている。
【００８５】
カメラ部５は、回転ヒンジ部材１１上に設けられると共に、当該携帯電話端末１を開いた状態（図１０の状態）にした時に、結像用光学系の光軸が上記ライト部６の配設位置の近傍上空へ向くように配設されている。
【００８６】
そして、この図１０に示した第１０の具体例のレイアウト構成となされた携帯電話端末１において、前述の各具体例同様に近接撮影を行う場合、撮影対象となる被写体９は、開いた状態の当該携帯電話端末１の第１筐体１０ａの第１主面の一部を構成する被写体載置部に接触した状態になされると共に、上記ライト部６の照明光出射部分の一部を覆うようにして配置される。
【００８７】
この第１０の具体例のレイアウト構成において、近接撮影が行われる場合には、前述の各具体例の場合と同様の効果を得ることができる。また、この図１０の例の場合、開いた状態のときに回転ヒンジ部材１１を介して第１，第２筐体１０ａ，１０ｂに段差ができ、そして、その回転ヒンジ部材１１にカメラ部５を設けているため、前述の各具体例のレイアウトのようにカメラ部５を主面から突出させるような構造を採らなくてもよく、簡素な構造とすることができる。
【００８８】
〔第１１の具体例のレイアウト構成〕
図１１には、前述の図１０の例のように、開いた状態のときに回転ヒンジ部材１１を介して第１，第２筐体１０ａ，１０ｂに段差ができるようなカメラ機能付き携帯電話端末１の筐体上に配されるカメラ部５及びライト部６のレイアウトの第１１の具体例を示す。
【００８９】
ここで、この図１１に示す第１１の具体例のレイアウトにおいて、ライト部６は第１筐体１０ａの第２主面側に設けられ、カメラ部５は回転ヒンジ部材１１内に設けられている。
【００９０】
ライト部６は、第１筐体１０ａの回転ヒンジ部材１１が配されていない側の端部近傍の第２主面側に設けられていると共に、照明光用光学系の光軸が当該第１筐体１０ａの第２主面に対して略々垂直となるように配設されている。
【００９１】
カメラ部５は、回転ヒンジ部材１１上に設けられると共に、当該携帯電話端末１を開いた状態（図１１の状態）にした時に、結像用光学系の光軸が上記ライト部６の配設位置の近傍上空へ向くように配設されている。
【００９２】
そして、この図１１に示した第１１の具体例のレイアウト構成となされた携帯電話端末１において、前述の各具体例同様に近接撮影を行う場合、撮影対象となる被写体９は、開いた状態の当該携帯電話端末１の第１筐体１０ａの第２主面に含まれる被写体載置部に接触した状態になされると共に、上記ライト部６の照明光出射部分の一部を覆うようにして配置される。
【００９３】
この第１１の具体例のレイアウト構成において、近接撮影が行われる場合には、前述の各具体例の場合と同様の効果を得ることができると共に、第１０の具体例と同様の効果を得ることも可能である。
【００９４】
〔第１２の具体例のレイアウト構成〕
図１２には、第１筐体１０ａと第２筐体１０ｂを互いの主面に対して並行な方向にスライドさせることが可能ないわゆるスライドタイプのカメラ機能付き携帯電話端末１の筐体上に配されるカメラ部５及びライト部６のレイアウトの第１２の具体例を示す。
【００９５】
ここで、この図１２に示す第１２の具体例のレイアウトにおいて、ライト部６とカメラ部５は第１筐体１０ａの第１主面側に設けられている。
【００９６】
ライト部６は、当該携帯電話端末１を開いた状態（図１２の状態）にした時に、第２筐体１０ｂと接してない側の第１筐体１０ａの端部近傍の第１主面側に設けられていると共に、照明光用光学系の光軸が当該第１筐体１０ａの第１主面に対して略々垂直となるように配設されている。
【００９７】
カメラ部５は、当該携帯電話端末１を開いた状態（図１２の状態）にした時に、第２筐体１０ｂと接する側の第１筐体１０ａの端部近傍の第１主面側に設けられていると共に、結像用光学系の光軸が上記ライト部６の配設位置の近傍上空へ向くように配設されている。
【００９８】
そして、この図１２に示した第１２の具体例のレイアウト構成となされた携帯電話端末１において、前述の各具体例同様に近接撮影を行う場合、撮影対象となる被写体９は、第１筐体１０ａの第１主面に含まれる被写体載置部に接触した状態になされると共に、上記ライト部６の照明光出射部分の一部を覆うようにして配置される。
【００９９】
この第１２の具体例のレイアウト構成において、近接撮影が行われる場合には、前述の各具体例の場合と同様の効果を得ることができる。
【０１００】
〔第１３の具体例のレイアウト構成〕
図１３には、図１２の例と同様のスライドタイプのカメラ機能付き携帯電話端末１の筐体上に配されるカメラ部５及びライト部６のレイアウトの第１３の具体例を示す。
【０１０１】
ここで、この図１３に示す第１３の具体例のレイアウトにおいて、ライト部６は第１筐体１０ａに設けられ、カメラ部５は第２筐体１０ｂに設けられている。
【０１０２】
ライト部６は、当該携帯電話端末１を開いた状態（図１３の状態）にした時に外部に露出することになる、第１筐体１０の第２主面側の例えば中央部に設けられていると共に、照明光用光学系の光軸が当該第１筐体１０ａの第２主面に対して略々垂直となるように配設されている。
【０１０３】
カメラ部５は、当該携帯電話端末１を開いた状態（図１３の状態）にした時に、第１筐体１０ａと接する側の第２筐体１０ｂの端部側面に設けられていると共に、当該携帯電話端末１が開いた状態の時に、結像用光学系の光軸が上記ライト部６の配設位置の近傍上空へ向くように配設されている。
【０１０４】
そして、この図１３に示した第１３の具体例のレイアウト構成となされた携帯電話端末１において、前述の各具体例同様に近接撮影を行う場合、撮影対象となる被写体９は、第１筐体１０ａの第２主面に含まれる被写体載置部に接触した状態になされると共に、上記ライト部６の照明光出射部分の一部を覆うようにして配置される。
【０１０５】
この第１３の具体例のレイアウト構成において、近接撮影が行われる場合には、前述の各具体例の場合と同様の効果を得ることができる。また、この図１３の例の場合、前述の図１０と同じように、携帯電話端末１を開いた状態のときに第１，第２筐体１０ａ，１０ｂに段差ができ、そして、上記第２筐体１０ｂの端部側面にカメラ部５を設けているため、前述のようなカメラ部５を主面から突出させるような構造を採らなくてもよく、簡素な構造とすることができる。
【０１０６】
〔第１４の具体例のレイアウト構成〕
図１４には、前述同様のスライドタイプのカメラ機能付き携帯電話端末１の筐体上に配されるカメラ部５及びライト部６のレイアウトの第１４の具体例を示す。
【０１０７】
ここで、この図１４に示す第１４の具体例のレイアウトにおいて、ライト部６及びカメラ部５は共に第２筐体１０ｂの第１主面側に設けられている。
【０１０８】
ライト部６は、第２筐体１０ｂの第１主面上のキーボード部３のエリア内に設けられていると共に、照明光用光学系の光軸が第２筐体１０ｂの第１主面に対して略々垂直となるように配設されている。
【０１０９】
カメラ部５は、当該携帯電話端末１を開いた状態（図１４の状態）にした時に、第１筐体１０ａと接しない側の第２筐体１０ｂの端部近傍の第１主面側に設けられていると共に、結像用光学系の光軸が上記ライト部６の配設位置の近傍上空へ向くように配設されている。
【０１１０】
そして、この図１４に示した第１４の具体例のレイアウト構成となされた携帯電話端末１において、前述の各具体例同様に近接撮影を行う場合、撮影対象となる被写体９は、開いた状態の当該携帯電話端末１の第２筐体１０ｂの第１主面に含まれる被写体載置部に接触した状態になされると共に、上記ライト部６の照明光出射部分の一部を覆うようにして配置される。
【０１１１】
この第１４の具体例のレイアウト構成において、近接撮影が行われる場合には、前述の各具体例の場合と同様の効果を得ることができる。
【０１１２】
〔生体認証時の第１の使用例〕
図１５〜図１７には、例えば前述の図３に示したストレートタイプのカメラ機能付き携帯電話端末１において、例えば指の静脈認証を行う場合の具体的な使用例（第１の使用例）を示す。なお、図１５はストレートタイプの携帯電話端末１を第１主面側から観た図であり、図１６は図１５の携帯電話端末１を左側面側から観た図、図７は図１５の携帯電話端末１を下側から観た図である。
【０１１３】
ここで、指の静脈認証を行う機能を備えた本実施形態の携帯電話端末１において、図１５〜図１７に示すように、ライト部６は、照明光出射部分の形状が、端末１の短軸方向側に長辺がくるようになされた例えば長方形、つまり、カメラ部５の光軸方向に対して略々直交する方向が長辺となされた長方形となされている。また、カメラ部５は、前述の第３の具体例で説明したように、ディスプレイ部２とキーボード部３との間に設けられていると共に、結像用光学系の光軸が上記ライト部６の配設位置の近傍上空へ向くように配設されている。
【０１１４】
そして、当該携帯電話端末１にて指の静脈認証を行う場合、ユーザの例えば右手の隣り合う二本の指２０ａ，２０ｂが、携帯電話端末１を挟み込むような状態に置かれる。これにより、ユーザの指２０ａは、図１８〜図２０に示すように、当該携帯電話端末１の第１主面に接触した状態になされると共に、上記ライト部６の照明光出射部分のカメラ部５側を覆うように置かれる。なお、図１８は、ユーザの右手の或る指２０ａの静脈認証を行っている際の携帯電話端末１を第１主面側から観た図であり、図１９は図１８の静脈認証を行っている状態の携帯電話端末１を左側面側から観た図、図２０は図１８の静脈認証を行っている状態の携帯電話端末１を下側から観た図である。
【０１１５】
上述のように、本実施形態の静脈認証機能を備えた携帯電話端末１は、カメラ部５の結像用光学系の光軸が、筐体の第１主面に対して斜め方向で且つ上記ライト部６の配設位置の上方へ向くように配設されているため、そのカメラ部５にて被写体を撮影する場合には、当該被写体（つまり指２０ａ）が必然的に筐体に近接（接して）置かれることになる。これにより、筐体と被写体（指２０ａ）との間の位置関係を特定し易くなり安定した撮影が可能となる。また、この使用例のように、指２０ａ，２０ｂにより携帯電話端末１を挟み込むと共に、携帯電話端末１の側面部をそれら指２０ａ，２０ｂの根本（掌）側に当接させるようにした場合、指と携帯電話端末１との間の相対位置変化が非常に少なくなると共に、静脈画像が撮影される生体部分は、指先ではなく、静脈認証に使用し易い指の中程となる。さらに、本実施形態によれば、被写体（指２０ａ）を被写体載置部に安定して配置できるため、当該被写体に対する照明も最適な位置となり、これにより、被写体と照明との相対的な位置関係が比較的安定し、照明の明るさやカメラ部５の各種設定パラメータについても、比較的容易に決めることが可能となる。
【０１１６】
また、本実施形態の携帯電話端末１によれば、被写体である指２０ａは、当該端末１の第１主面に接触した状態になされると共に、上記ライト部６の照明光出射部分のカメラ部５側を覆うように置かれため、カメラ部５にて良好な静脈画像を撮影することが可能である。すなわち、静脈認証を行う場合には、被写体である生体内部の静脈画像を撮影する必要があるため、例えば照明光が直接カメラ部５に入射したり、生体部分の表面で反射した照明光がカメラ部５へ入射すると、良好な静脈画像を撮影することができなくなるが、本実施形態の携帯電話端末１では、上述のように、被写体である指２０ａが、筐体表面の被写体載置部に接触し且つライト部６の照明光出射部分のカメラ部５側を覆うように置かれため、当該ライト部６の照明光が直接カメラ部５に入射したり、被写体である指２０ａの表面の反射光がカメラ部５へ入射することがなく、その結果、良好な静脈画像を撮影することが可能となる。なお、本実施形態の場合、カメラ部５の結像光学系の光軸が、筐体表面に置かれた被写体に対して正対する方向に向けられているため、例えば太陽光等の外光による影響も少なくなっている。
【０１１７】
その他、図示は省略しているが、本実施形態の携帯電話端末１は、筐体に被写体（指２０ａ）の置き位置（被写体載置部）を指示する表示や窪み若しくは突起等が筐体上に設けられており、それらにより、安定した被写体の配置、つまり、被写体の置き位置の再現性を高めることが可能となっている。
【０１１８】
なお、図示は省略しているが、指２０ａ，２０ｂにより挟まれる部分（被写体載置部）に、指の形状に合わせた窪みや凸部を設けることも可能である。
【０１１９】
〔生体認証時の第２の使用例〕
図２１には、例えば前述の図５に示した折り畳みタイプの携帯電話端末１において、指の静脈認証を行う場合の具体的な使用例（第２の使用例）を示す。
【０１２０】
この図２１に示す携帯電話端末１において、カメラ部５とライト部６は、前述の図５の例と同様に、共に第１筐体１０ａの第２主面側に設けられている。ライト部６は、前述の第１の使用例の構成と同様に照明光出射部分の形状が長方形となされており、カメラ部５は、前述の第５の具体例で説明したように、第１筐体１０ａの第２主面の略々中央に設けられていると共に、結像用光学系の光軸が上記ライト部６の配設位置の近傍上空へ向くように配設されている。
【０１２１】
そして、この第２の使用例の携帯電話端末１にて指の静脈認証を行う場合、ユーザの例えば左手の隣り合う二本の指２０ａ，２０ｂが、携帯電話端末１を挟み込むような状態に置かれる。これにより、ユーザの指２０ｂは、図２１に示すように、第１筐体１０ａの第２主面に接触した状態になされると共に、上記ライト部６の照明光出射部分のカメラ部５側を覆うように置かれる。これにより、筐体と被写体（指２０ｂ）との間の位置関係を特定し易くなり安定した撮影が可能となり、この第２の使用例の携帯電話端末１の場合も前述の第１の使用例と同様の効果を得ることができることになる。
【０１２２】
〔生体認証時の第３の使用例〕
図２２には、例えば前述の図７に示した折り畳みタイプの携帯電話端末１において、指の静脈認証を行う場合の具体的な使用例（第３の使用例）を示す。
【０１２３】
この図２２に示す携帯電話端末１において、カメラ部５とライト部６は、前述の図７の例と同様に、共に第１筐体１０ａの第１主面側に設けられている。ライト部６は、前述の第１の使用例の構成と同様に照明光出射部分の形状が長方形となされており、カメラ部５は、前述の第７の具体例で説明したように、回転ヒンジ部材８が配されている端部近傍の第１主面側に設けられると共に、結像用光学系の光軸がライト部６の配設位置の近傍上空へ向くように配設されている。
【０１２４】
そして、この第３の使用例の携帯電話端末１にて指の静脈認証を行う場合、ユーザの例えば左手の隣り合う二本の指２０ａ，２０ｂが、携帯電話端末１を挟み込むような状態に置かれる。これにより、ユーザの指２０ａは、図２２に示すように、第１筐体１０ａの第１主面に接触した状態になされると共に、上記ライト部６の照明光出射部分のカメラ部５側を覆うように置かれる。これにより、筐体と被写体（指２０ａ）との間の位置関係を特定し易くなり安定した撮影が可能となり、この第３の使用例の携帯電話端末１の場合も前述の第１，第２の使用例と同様の効果を得ることができることになる。
【０１２５】
〔生体認証時の第４の使用例〕
図２３には、例えば前述の図１０に示した折り畳みタイプの携帯電話端末１において、指の静脈認証を行う場合の具体的な使用例（第４の使用例）を示す。
【０１２６】
この図２３に示す携帯電話端末１において、ライト部６は、前述の図１０の例と同様に、共に第１筐体１０ａの第１主面側に設けられており、また、前述の第１の使用例の構成と同様に照明光出射部分の形状が長方形となされている。カメラ部５は、前述の第１０の具体例で説明したように、回転ヒンジ部材１１に配されていると共に、結像用光学系の光軸がライト部６の配設位置の近傍上空へ向くように配設されている。
【０１２７】
そして、この第４の使用例の携帯電話端末１にて指の静脈認証を行う場合、ユーザの例えば左手の隣り合う二本の指２０ａ，２０ｂが、携帯電話端末１を挟み込むような状態に置かれる。これにより、ユーザの指２０ａは、図２３に示すように、第１筐体１０ａの第１主面に接触した状態になされると共に、上記ライト部６の照明光出射部分のカメラ部５側を覆うように置かれる。これにより、筐体と被写体（指２０ａ）との間の位置関係を特定し易くなり安定した撮影が可能となり、この第４の使用例の携帯電話端末１の場合も前述の各使用例と同様の効果を得ることができることになる。
【０１２８】
〔生体認証時の第５の使用例〕
図２４には、例えば前述の図１１に示した折り畳みタイプの携帯電話端末１において、指の静脈認証を行う場合の具体的な使用例（第５の使用例）を示す。
【０１２９】
この図２５に示す携帯電話端末１において、ライト部６は、前述の図１１の例と同様に、共に第１筐体１０ａの第２主面側に設けられており、また、前述の第１の使用例の構成と同様に照明光出射部分の形状が長方形となされている。カメラ部５は、前述の第１１の具体例で説明したように、回転ヒンジ部材１１に配されていると共に、結像用光学系の光軸がライト部６の配設位置の近傍上空へ向くように配設されている。
【０１３０】
そして、この第５の使用例の携帯電話端末１にて指の静脈認証を行う場合、ユーザの例えば左手の隣り合う二本の指２０ａ，２０ｂが、携帯電話端末１を挟み込むような状態に置かれる。これにより、ユーザの指２０ａは、図２３に示すように、第１筐体１０ａの第１主面に接触した状態になされると共に、上記ライト部６の照明光出射部分のカメラ部５側を覆うように置かれる。これにより、筐体と被写体（指２０ａ）との間の位置関係を特定し易くなり安定した撮影が可能となり、この第５の使用例の携帯電話端末１の場合も前述の各使用例と同様の効果を得ることができることになる。
【０１３１】
〔生体認証時の第１５の具体例のレイアウト構成及び第６の使用例〕
図２５〜図２７には、生体認証機能を備えたストレートタイプの携帯電話端末１の筐体上に配されるカメラ部５及びライト部６ａ，６ｂのレイアウトの第１５の具体例を示す。なお、図２５はストレートタイプの携帯電話端末１を第１主面側から観た図であり、図２６は図２５の携帯電話端末１を左側面側から観た図、図２７は図２５の携帯電話端末１を下側から観た図である。
【０１３２】
この図２５〜図２７に示す第１５の具体例のレイアウトにおいて、カメラ部５及びライト部６ａ，６ｂはキーボード部３側筐体端末近傍の第１主面側に設けられている。
【０１３３】
カメラ部５は、結像用光学系の光軸が第１主面に対して略々垂直となるように配設されている。
【０１３４】
ライト部６ａ，６ｂは、上記カメラ部５を両側から挟み込むように配置されており、照明光用光学系の光軸が第１主面に対して略々垂直となるように配設されている。
【０１３５】
そして、図２５〜図２７に示した第１５の具体例のレイアウト構成となされた携帯電話端末１において、生体認証のために近接撮影を行う場合、撮影対象となる被写体１２（生体部分）は、図２６，図２７に示すように、第１主面に接触した状態になされると共に、上記カメラ部５を覆い、且つ、上記ライト部６の照明光出射部分の一部を覆うようにして配置される。
【０１３６】
ここで、この第１５の具体例のレイアウト構成を備えた携帯電話端末１において、例えば指の静脈認証を行う場合の具体的な使用例（第６の使用例）を、図２８〜図３０を用いて説明する。なお、図２８は当該携帯電話端末１を第１主面側から観た図であり、図２９は図２８の携帯電話端末１を左側面側から観た図、図３０は図２８の携帯電話端末１を下面側から観た図である。
【０１３７】
この携帯電話端末１にて指の静脈認証を行う場合、ユーザの手の何れか一本の指２０が、第１主面に接触した状態となされると共に、上記カメラ部５を覆い且つライト部６の照明光出射部分の一部を覆うようにして置かれることになる。
【０１３８】
このような携帯電話端末１の使用例によれば、指２０が筐体に近接（接して）置かれることになるため、筐体と指２０との間の位置関係を特定し易くなり安定した撮影が可能となる。また、この使用例によれば、指２０を安定して配置できるため、当該指２０に対する照明も最適な位置となり、これにより、被写体と照明との相対的な位置関係が比較的安定し、照明の明るさやカメラ部５の各種設定パラメータについても、比較的容易に決めることが可能となる。
【０１３９】
また、この使用例によれば、指２０は、当該端末１の第１主面に接触した状態になされると共に、上記ライト部６の照明光出射部分のカメラ部５側を覆うように置かれため、カメラ部５にて良好な静脈画像を撮影することが可能である。さらに、本実施形態の場合、カメラ部５の略々全面が指２０により覆われるため、例えば太陽光等の外光による影響も少なくなっている。
【０１４０】
〔携帯電話端末１の概略的な内部構成〕
図２１には、上述した本発明実施形態の携帯電話端末の概略的な内部構成を示す。
【０１４１】
通信アンテナ４２は、例えば内蔵アンテナであり、通話やパケット通信のための信号電波の送受信を行う。通信回路４１は、送受信信号の周波数変換、変調と復調等を行う。なお、パケット通信により送受信されるデータは、電子メールデータ、動画像や静止画の画像データ、音声データ、ＨＴＭＬ（Hyper Text Markup Language）データ、プログラムデータ、その他の各種データである。ここで、上記通信アンテナ４２及び通信回路４１の受信データが通話音声のデータである場合、その通話音声のデータはデータラインを介して音声処理部５２へ送られ、それ以外の受信データは一旦、制御部４０へ送られて処理された後、必要に応じて当該制御部４０から各部へ送られる。
【０１４２】
音声処理部５２は、上記通信アンテナ４２及び通信回路４１から通話音声の受信データが供給された時には、当該通話音声の受信データを復号化し、その復号化後の通話音声データをデータラインを介してスピーカ５０へ送る。
【０１４３】
スピーカ５０は、携帯電話端末に設けられている受話用のスピーカやリンガ（着信音）、音楽再生、アラーム音出力用のスピーカであり、ディジタル／アナログ変換器と増幅器を含み、通話音声やリンガ音，再生音楽のデータを、ディジタル／アナログ変換及び増幅した後、出力する。これにより、通話音声やリンガ音，再生音楽が得られることになる。
【０１４４】
マイクロホン５１は、送話用のマイクロホンであり、アナログ／ディジタル変換器と増幅器を含む。このマイクロホン５１を介して入力された通話音声信号は、増幅器により所定のレベルに増幅された後、アナログ／ディジタル変換器によりディジタル音声データに変換され、データラインを介して音声処理部５２へ送られて符号化された後、データラインを介して通信回路４１へ送られて変調、周波数変換等の各種処理を受け、通信アンテナ４２から送信される。
【０１４５】
表示部４３は、液晶等からなる前記ディスプレイ部２とそのディスプレイ部２を駆動するためのディスプレイ駆動回路とからなる。ディスプレイ駆動回路は、画像処理部５３から供給された画像信号に基づいて、上記ディスプレイ部２を駆動する。これにより、ディスプレイ部２には、画像や文字等が表示される。
【０１４６】
カメラ部５５は、前述した近接撮影，生体認証用のカメラや通常のカメラからなる。
【０１４７】
ＬＥＤ（発光ダイオード）部５６は、着信ＬＥＤやカメラ撮像時の補助ライト用ＬＥＤ、表示部４３のバックライト用ＬＥＤ、各キーの照明用ＬＥＤ、前述した近接撮影，生体認証のライト部用ＬＥＤからなる。
【０１４８】
画像処理部５３は、表示部４３に表示される画像の処理を行う。また、画像処理部５３は、制御部４０による制御の元で内蔵メモリから読み出された圧縮符号化されている画像データや、インターネット等を介して取得した画像データ等を伸張復号化等し、その伸張復号後の画像データをデータラインを介して表示部４３へ送って表示させる。その他、画像処理部５３は、上記カメラ部５５により撮像された静止画像や動画像のデータの圧縮符号化等を行い、その圧縮符号化された画像データを、制御部４０による制御の元で必要に応じて内蔵メモリに送り、記憶させる。
【０１４９】
操作部４４は、本実施形態の携帯電話端末１の筐体上に設けられているキーボード部３等の操作デバイスと、それら操作デバイスの操作に応じた操作信号を発生する操作信号発生器とからなる。
【０１５０】
認証処理部５４は、当該携帯電話端末１が生体認証モードに設定されている時に、カメラ部５５にて撮影され画像処理部５３にて適切な画像処理が施された生体撮影画像情報から、例えば静脈や指紋等のユーザ固有の生体パターンを抽出し、当該抽出した生体パターンと、メモリ部４６に予め登録されている正当なユーザの生体パターンと比較することにより、ユーザの認証を行う。そして、その認証結果の情報は、制御部４０に送られることになる。
【０１５１】
センサ部４５は、例えば圧力センサ、静電容量センサ、又は、光反射検出センサ等のように、例えば指の有る無しを検出可能なセンサであり、当該センサは前述したライト部６の近傍に配置される。本実施形態の携帯電話端末１は、生体認証を行う場合に、当該センサ部４５が指等の生体の存在を検出した時に、生体認証処理を開始するようになされている。すなわち例えば前述の使用例のように、指を挟む操作と連動して、指が所定の位置に存在することを検出することが可能となり、その検出に応じて生体認証処理を開始する。
【０１５２】
メモリ部４６は、ＲＯＭ（Read Only Memory）とＲＡＭ（Random Access Memory）を含む。ＲＯＭは、ＯＳ（Operating System）、制御部４０が各部を制御するための制御プログラムコード、各種の初期設定値、フォントデータ、仮名漢字変換や予測変換に用いられる辞書データ、着信音やキー操作音等の音データ、本実施形態にかかる生体認証の制御プログラムコード、その他、当該端末に搭載される各種のアプリケーション用のプログラムコード、当該端末の機器識別情報（ＩＤ）などを記憶している。このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、電子メールデータ、電話帳や電子メールアドレス帳のデータ、スケジュール帳のデータ、通信履歴等の様々なデータ、ユーザ辞書データ、静止画や動画データ、キー操作音等の音データ、本実施形態にかかる生体認証時に使用される正当ユーザの登録生体パターン情報、その他、各種のユーザ設定値等を保存することも可能となされている。ＲＡＭは、制御部４０が各種のデータ処理を行う際の作業領域として、随時データを格納する。
【０１５３】
制御部４０は、ＣＰＵからなり、メモリ部４６に記憶されているＯＳや各種プログラムに基づいて、当該端末の様々な制御、本実施形態にかかる生体認証時の制御等を行う。
【０１５４】
その他、図３１には図示を省略しているが、本実施形態の端末は、外部メモリインターフェース、外部ケーブル用コネクタ、赤外線通信機能、電子財布機能、バイブレータ、バッテリ、電力制御機能など、一般的な携帯電話端末が備えている各構成要素についても備えている。なお、それら一般的な携帯電話端末が備えている回路構成やその他の構成の説明については省略する。
【０１５５】
〔まとめ〕
本実施形態の携帯電話端末１は、筐体表面の所定位置に接触させた状態の被写体を照明するためのライト部６と、ライト部６の配設位置から離れた位置に設けられると共に結像用光学系の光軸が上記ライト部６の配設位置の近傍上空へ向くように配設されているカメラ部５とを有し、上記ライト部６は、筐体表面の所定位置の被写体載置部に被写体が置かれた時に、少なくともカメラ部５が配設されている側の一部が覆われるように配置されているため、当該ライト部６の直接光或いは被写体表面による反射光がカメラ部５に入射することはない。
【０１５６】
また、本実施形態の携帯電話端末１によれば、撮影時には、筐体表面の所定位置に被写体が置かれることになり、カメラ部５と被写体との間の相対位置が安定していると共に、被写体に対してライト部６も最適な位置にレイアウトされており、被写体と照明との相対配置が比較的安定しているため、ライト部６の明るさ（照明の強度）やカメラ部５の撮影条件パラメータを、比較的容易に決めることが可能となる。
【０１５７】
これにより、本実施形態の携帯電話端末１によれば、カメラ部５やライト部６から被写体までの距離変化、手ブレ，被写体ブレ等が無く、撮影画面内での被写体の大きさ、配置、照明の明るさ加減が良好な撮影画像が得られる近接撮影を行える。
【０１５８】
また、本実施形態によれば、撮影時に被写体の位置が略々常に同じ場所に固定されるため、例えば時間をおいて複数回撮像するような場合でも、以前と略々同じ場所に被写体を置くことが容易となり、毎回似た構図の撮像が可能となる。
【０１５９】
さらに、本実施形態の携帯電話端末１によれば、近接撮影を行う場合に、被写体とカメラ部との間の距離を或る程度離すことが可能であるため、近接撮影により発生し易い画像の歪みを少なくすることが可能である。
【０１６０】
そして、本実施形態の携帯電話端末１によれば、近接撮影時に良好な撮影画像が得られるため、カメラ部の解像度、光学系、制御系に対して要求されるスペックを或る程度下げることができ、比較的容易に設計ができ、また、部品選定、効率的な制御等が可能となるため、設計及び部品，製造コストを大幅に下げることが可能となる。
【０１６１】
また、本実施形態によれば、特に静脈認証を行う場合には、撮影を行う特定生体部分の正確な位置再現が可能となり、その特定生体部分の静脈撮影情報に基づいて特定ユーザの認証及び登録を正確、スピーディー且つ容易に行うことが可能となる。さらに、生体認証処理及びそのアプリケーションでは、各種の設定における調整処理等を少なくできるため、設計工数及びプログラムのサイズを小さくできると共に、処理スピード、処理精度を上げることも可能となり、ユーザの使い勝手も向上させることができる。
【０１６２】
また、本実施形態において、指の静脈認証の際に、前述の第１〜第５の使用例のように、二本の指で端末の筐体を挟むようにし、指の根本が端末側面に当接するようにした場合には、指と筐体表面との間の隙間が略々無くなり、指を置いたときの高さ方向のズレと横方向のズレを自然且つ同時に抑えることが可能となり、さらに、二本の指で端末筐体を挟むようにすることでそれら二本の指の間隔が最小化されることになり、指の回転方向のズレを減少させることが可能となる。このように、本実施形態の携帯電話端末１によれば、指の横ズレ，高さズレ，回転ズレを無くすことができ、これらの相乗効果により、指位置の再現性を総合的に高めることが可能となるため、指の撮影部位を略々毎回同じ部位にでき、良好な撮影画像を得ることができ、撮影画像の画質低下に起因した認証エラーを少なくすることができるようになり、また、例えばその指が右手，左手のどちらであったとしても、右手或いは左手に対する認証精度の依存性が少なく、何れの手の指であっても比較的容易に認証を行うことが可能となる。その結果、ユーザは、生体認証時に指の位置合わせの操作に熟練する必要がなくなり、例えば初めて認証操作を行うユーザや希にしか認証操作を行わないユーザ、或いは、設計時に想定されている指の大きさよりもその当人の指の大きさや形状が著しく異なっているようなユーザであっても、生体認証時の位置再現を容易且つ簡単な操作で行うことができる。また、本実施形態の場合、カメラ部６にて撮影される部位は、指の腹部分となるため、より正確な静脈認証が可能となる。
【０１６３】
さらに、本実施形態において、例えばカメラ部５が筐体の第２主面側（背面側）に設けられているレイアウトの具体例の場合、太陽光等の外光による影響を受けにくい構造となり、一方、カメラ部５が筐体の第１主面側にあるレイアウトの具体例の場合には、指の置いた位置とディスプレイ部２上にて表示される画像をユーザが比較的容易に確認でき、高いユーザビリティを実現可能となっている。
【０１６４】
その他、本実施形態によれば、カメラ部５とライト部６を様々な場所に配置することができるため、実装条件及びデザインの制約が比較的小さい。
【０１６５】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０１６６】
本発明は上述した実施形態に挙げた携帯電話端末に限定されず、ＰＤＡ（PDA：Personal Digital Assistants）、カーナビゲーションシステムやＡＶ機器のリモートコントローラ等、様々な携帯端末にも適用可能である。
【０１６７】
また、上記ライト部６から出射される照明光は、連続発光だけでなく、パルス発光にしても良い。パルス発光にすることにより、パルス発光タイミングと生体認証用の撮影タイミングを合わせれば、生体認証時における外光の影響を少なくすることができる。
【図面の簡単な説明】
【０１６８】
【図１】本発明実施形態の携帯電話端末の第１の具体例のレイアウト構成の説明に用いる図である。
【図２】本発明実施形態の携帯電話端末の第２の具体例のレイアウト構成の説明に用いる図である。
【図３】本発明実施形態の携帯電話端末の第３の具体例のレイアウト構成の説明に用いる図である。
【図４】本発明実施形態の携帯電話端末の第４の具体例のレイアウト構成の説明に用いる図である。
【図５】本発明実施形態の携帯電話端末の第５の具体例のレイアウト構成の説明に用いる図である。
【図６】本発明実施形態の携帯電話端末の第６の具体例のレイアウト構成の説明に用いる図である。
【図７】本発明実施形態の携帯電話端末の第７の具体例のレイアウト構成の説明に用いる図である。
【図８】本発明実施形態の携帯電話端末の第８の具体例のレイアウト構成の説明に用いる図である。
【図９】本発明実施形態の携帯電話端末の第９の具体例のレイアウト構成の説明に用いる図である。
【図１０】本発明実施形態の携帯電話端末の第１０の具体例のレイアウト構成の説明に用いる図である。
【図１１】本発明実施形態の携帯電話端末の第１１の具体例のレイアウト構成の説明に用いる図である。
【図１２】本発明実施形態の携帯電話端末の第１２の具体例のレイアウト構成の説明に用いる図である。
【図１３】本発明実施形態の携帯電話端末の第１３の具体例のレイアウト構成の説明に用いる図である。
【図１４】本発明実施形態の携帯電話端末の第１４の具体例のレイアウト構成の説明に用いる図である。
【図１５】本発明実施形態の指の静脈認証を行う場合の第１の使用例における携帯電話端末の概略正面図である。
【図１６】本発明実施形態の指の静脈認証を行う場合の第１の使用例における携帯電話端末の概略左側面図である。
【図１７】本発明実施形態の指の静脈認証を行う場合の第１の使用例における携帯電話端末の概略下面図である。
【図１８】第１の使用例において、ユーザの右手の指の静脈認証を行っている際の携帯電話端末の概略正面図である。
【図１９】第１の使用例において、ユーザの右手の指の静脈認証を行っている際の携帯電話端末の概略左側面図である。
【図２０】第１の使用例において、ユーザの右手の指の静脈認証を行っている際の携帯電話端末の概略下面図である。
【図２１】本発明実施形態の携帯電話端末により指の静脈認証を行う場合の第２の使用例の説明に用いる図である。
【図２２】本発明実施形態の携帯電話端末により指の静脈認証を行う場合の第３の使用例の説明に用いる図である。
【図２３】本発明実施形態の携帯電話端末により指の静脈認証を行う場合の第４の使用例の説明に用いる図である。
【図２４】本発明実施形態の携帯電話端末により指の静脈認証を行う場合の第５の使用例の説明に用いる図である。
【図２５】本発明実施形態の第１５の具体例のレイアウト構成の携帯電話端末の概略正面図である。
【図２６】本発明実施形態の第１５の具体例のレイアウト構成の携帯電話端末の概略左側面図である。
【図２７】本発明実施形態の第１５の具体例のレイアウト構成の携帯電話端末の概略下面図である。
【図２８】本発明実施形態の第１５の具体例のレイアウト構成の携帯電話端末における第６の使用例の説明に用いる概略正面図である。
【図２９】本発明実施形態の第１５の具体例のレイアウト構成の携帯電話端末における第６の使用例の説明に用いる概略左側面図である。
【図３０】本発明実施形態の第１５の具体例のレイアウト構成の携帯電話端末における第６の使用例の説明に用いる概略下面図である。
【図３１】本発明実施形態の携帯電話端末の概略的な内部構成を示すブロック図である。
【図３２】従来の携帯電話端末のレイアウト構成の一例の説明に用いる図である。
【図３３】従来の携帯電話端末のレイアウト構成の他の例の説明に用いる図である。
【符号の説明】
【０１６９】
１  携帯電話端末、２  ディスプレイ部、３  キーボード部、４  電池部、５，５５  カメラ部、６，６ａ，６ｂ  ライト部、８，１１  回転ヒンジ部材、９，１２  被写体、１０ａ  第１筐体、１０ｂ  第２筐体、２０，２０ａ，２０ｂ  指、４０  制御部、４１  通信回路、４２  通信用のアンテナ、４３  表示部、４４  操作部、４５  センサ部、４６  メモリ部、５０  スピーカ、５１  マイクロホン、５２  音声処理部、５３  画像処理部、５４  認証処理部、５６  ＬＥＤ部
【図１】
0004562668.tif 000002
【図２】
0004562668.tif 000003
【図３】
0004562668.tif 000004
【図４】
0004562668.tif 000005
【図５】
0004562668.tif 000006
【図６】
0004562668.tif 000007
【図７】
0004562668.tif 000008
【図８】
0004562668.tif 000009
【図９】
0004562668.tif 000010
【図１０】
0004562668.tif 000011
【図１１】
0004562668.tif 000012
【図１２】
0004562668.tif 000013
【図１３】
0004562668.tif 000014
【図１４】
0004562668.tif 000015
【図１５】
0004562668.tif 000016
【図１６】
0004562668.tif 000017
【図１７】
0004562668.tif 000018
【図１８】
0004562668.tif 000019
【図１９】
0004562668.tif 000020
【図２０】
0004562668.tif 000021
【図２１】
0004562668.tif 000022
【図２２】
0004562668.tif 000023
【図２３】
0004562668.tif 000024
【図２４】
0004562668.tif 000025
【図２５】
0004562668.tif 000026
【図２６】
0004562668.tif 000027
【図２７】
0004562668.tif 000028
【図２８】
0004562668.tif 000029
【図２９】
0004562668.tif 000030
【図３０】
0004562668.tif 000031
【図３１】
0004562668.tif 000032
【図３２】
0004562668.tif 000033
【図３３】
0004562668.tif 000034